(57)【要約】      （修正有） 【課題】草刈機の回転軸及びギヤケース周辺への物体の巻き込みを防止するための装置。【解決手段】草刈機のステーＤに着脱可能なガイド１，２が回転刃Ａの動きの上流側に、先端が回転刃Ａの表面近くに設けられた揚上ガイド１と、回転刃Ａの動きの下流側に設けられた先端が回転刃Ａの表面近くにあり、かつその方向が回転刃Ａの動きの方向に対して迎えるように設けられた揚上浮離ガイド２と、回転刃Ａと共に取り付けられて共に回転しギヤケースＢ下部を取り囲むリング状のセンターカップ３とを設ける。【選択図】図１
2009022200.tif 000002
【特許請求の範囲】
【請求項１】
草刈機の装置であって、草刈機のギヤボックス又は動力伝達棹に取り付け可能な手段を備えたフランジ又は取り付けステーと、前記フランジ又は取り付けステーに着脱可能に設けられるガイドがギヤボックス又は動力伝達棹の取り付け側から見て回転刃の回転の方向に対して迎えるようにつまり回転刃の動きの上流側に、先端が回転刃の表面近くに設けられた揚上ガイドと、前記取り付け側から見て前記回転刃の回転に対して見送る方向つまり回転刃の動きの下流側に設けられたガイド本体の先端が前記回転の表面近くに設けられかつその方向が前記回転刃の動きの方向に対して迎えるように設けられた揚上浮離ガイドと、回転刃と共に取り付けられて共に回転し、ギヤボックス下部を取り囲むリング状のセンターカップとを設けたことを特徴とする巻き込み防止装置。
【発明の詳細な説明】
【技術分野】
【０００１】
本発明は草刈機の回転刃を支持する回転軸及びギヤケース周辺への物体の巻き込み防   止装置に関するものである。          
【背景技術】
【０００２】
回転軸及びギヤケース周辺への巻き込みトラブルは意外に多く知られているが解決されてはいない。
例えば、草刈機での対策品は市販されてはいるが効果が見られない状況であり、草や蔓の回転軸及び回転軸を保持するギヤケースへの巻き付きによる作業の中断はあきらめの境地であり、つい、エンジンを止めずに巻きついた物を取ろうとしての怪我が知られている。
例えば、回転刃と共に回転し、巻きついた物体を切断するための刃が設けられている
（例えば特許文献１参照）や、回転刃と動力伝達棹との間の隙間を平板で塞いだもの（例えば特許文献２参照）や、回転刃と共に回転し、巻き付き難いように突起部の設けられたカップ(例えば特許文献３参照）や、巻き付きやすいギヤケース部に山形を成すカバーが取り付けられたもの(例えば特許文献４参照）や、回転刃と共に回転し、テーパー状のカップが単に設けられたもの(例えば特許文献５参照）などがある。
【０００３】
【特許文献１】特開2005-118003
【特許文献２】特開2001-1038241
【特許文献３】特開平11-168939
【特許文献４】特開平９-172840
【特許文献５】実公昭39-010525
【発明の開示】
【発明が解決しようとする課題】
【０００４】
回転刃に接触した物体が回転刃の回転軸及びギヤケース周辺に巻き込まれ、強く巻き付いて回転不能になることを防止するために多くの考案が成されては来たが未だ解決には到っていない。
草刈機における代表的な考案として、巻き付いた物体を切断しようとするのがある。
例えば特許文献１のように刃を有するもので切断しようとするのだが、刃は巻き付き範囲のごく一部にしか作用せず、実際には極めて短時間で巻き付き、容易に回転不能になるもので実際には使い物にならない。
又、巻き付きそのものを防ごうとして特許文献２のように回転刃と動力伝達棹の間の隙間を平板で塞ぐ構成があるが、回転刃と平板の間の僅かな隙間から細い草葉が巻き込まれ回転軸に巻き付くし、回転刃と平板との僅かな隙間にも物体が挟み込まれ回転刃が回転不能になるのである。
【０００５】
又、物体が巻き付き難くするために特許文献３のように巻き付きやすい部分の形状を山形にしたカバーを取り付ける方法があるが、このカバーの部分だけは草刈作業の初期は有効であるが、カバーのテーパー状で無い上部にからんだ物体が巻きつきの支えとなって段々巻きつく量が増えついに回転刃は回転停止するし、カバーと回転刃の間の隙間に在る回転軸にやはり物体が巻き込まれてしまうのである。
又、回転刃とギヤケースの隙間に巻きつくのを防止するために例えば特許文献４のようにカップに凹凸を付けたのがあるが若干の有効性はあるが極めて部分的で実用には耐えないのである。
【０００６】
又、本発明のセンターカップに類似したテーパー状のカップのみを取り付けた例として特許文献５があるが、このカップのある範囲は草刈の初期は有効であるがカップの無い上部にはやはり物体が巻き付き、そこが支えとなってカップの内側にまで巻きつきが広がって行き、ついには回転停止となるのであるが、利点は回転刃とギヤケースの間の隙間には巻きつきが無い点で、それでもこのカップだけでは実用性は無いのである。
【課題を解決するための手段】
【０００７】
一般に、ロープ等軟らかい物体が軸状のものに巻き込まれる場合、軸状のものが固定したものよりも回転したものの方が、又軸状のものの径が大きい程、ロープ等が巻きつく力は小さくなることが知られている。
そこで本発明では、草刈機の装置であって、草刈機のギヤボックス又は動力伝達棹に取り付け可能な手段を備えたフランジ又は取り付けステーと、前記フランジ又は取り付けステーに着脱可能に設けられるガイドがギヤボックス又は動力伝達棹の取り付け側から見て回転刃の回転の方向に対して迎えるようにつまり回転刃の動きの上流側に、先端が回転刃の表面近くに設けられた揚上ガイドと、前記取り付け側から見て前記回転刃の回転に対して見送る方向つまり回転刃の動きの下流側に設けられたガイド本体の先端が前記回転刃の表面近くに設けられかつその方向が前記回転刃の動きの方向に対して迎えるように設けられた揚上浮離ガイドと、回転刃と共に取り付けられて共に回転し、ギヤボックス下部を取り囲むリング状のセンターカップとを設ける。
尚、ガイド部材は回転軸から出来るだけ離れた位置に設置し頂点は高くするのが良い。
【発明の効果】
【０００８】
草刈機における本発明の場合は、まず、回転体としての回転刃の表面にガイド部材を山形に設けることで、ガイド部材によって草等が巻き付きやすい回転軸及びギヤケースから離れる方向に飛ばされて巻き込みを防止する。
だから、本発明によって作業効率が上がり、燃費も向上し、怪我の心配もなくなり、なによりも草刈機メーカーが製造者責任を問われなくなる効果は絶大となる。
【発明を実施するための最良の形態】
【０００９】
次に本発明の実施の形態を説明する。
本発明では、草刈機の装置であって、草刈機のギヤボックス又は動力伝達棹に取り付け可能な手段を備えたフランジ又は取り付けステーと、前記フランジ又は取り付けステーに着脱可能に設けられるガイドがギヤボックス又は動力伝達棹の取り付け側から見て回転刃の回転の方向に対して迎えるようにつまり回転刃の動きの上流側に、先端が回転刃の表面近くに設けられた揚上ガイドと、前記取り付け側から見て前記回転刃の回転に対して見送る方向つまり回転刃の動きの下流側に設けられたガイド本体の先端が前記回転の表面近くに設けられかつその方向が前記回転刃の動きの方向に対して迎えるように設けられた揚上浮離ガイドと、回転刃と共に取り付けられて共に回転し、ギヤボックス下部を取り囲むリング状のセンターカップとを設ける。
尚、草刈機は刈払機とも呼称されている。
【実施例】
【００１０】
以下本発明を実施例となる図面を参照しながら説明する。
回転体である回転刃をエンジンや電気モーターで回転させる草刈機・刈払機の場合、図１  のように、Ａは回転刃、Ｂはギヤケース、Ｃは動力伝達棹、Ｄはステーであるが、ガイドとして、１は揚上ガイド、２は揚上浮離ガイド、３はテーパー状センターカップで構成される。
尚、回転軸は回転刃Ａを支持し、ギヤケースＢに内蔵されるが図示しない。
ガイドはフランジ又は取り付けステーにボルト・ナットによって取り付けられるが、フランジは例えば水道管の配管などに使用のための物でパイプを挟んでボルト・ナットで締めて使用される物などが使えるが、前記ボルト・ナットと共締めして使用する。
尚、フランジは図示しない。
又、取り付けステーにガイドが取り付けられ、取り付けステーは草刈機のギヤボックスにボルト止めして使用する。
【００１１】
ガイド１および２は図ではギヤボックスＢに取り付けられたステーＤに離れて設置されているがそれぞれを連続して一本としてもかまわないし、それぞれをフランジによって単独して動力伝達棹Ｃに取り付けるようにすれば機種の多様性にも対応出来る。
ガイド１，２を棒状にした場合、材質として出来るだけ軽い事が望まれるので高強度アルミ合金やチタン合金や硬質プラスチックが望ましいが鉄系を使用する場合は出来るだけ細くする必要があり、材質にもよるが径３ミリくらいから１０ミリくらいの間が考えられる。
又、中空のパイプの使用も考えられる。
又、動力伝達棹Ｃへの取り付けるためのフランジと一体に成形する場合、フランジ元を太くし先端に向かって暫時細くする所謂テーパー形にすることが考えられる。
尚、図では棒状であるが平板状でも良い。
又、ガイドの数は限定しない。
【００１２】
図３はガイド４を平板状としたものの例で幅の広い平板とし、回転刃Ａと動力伝達棹Ｃの間を塞ぐくらいつまり、ギヤケースＢやセンターカップ３を含めて回転刃外周近くまでを覆うようにすると、刈られた草がガイド４に沿って寄せられる現象が起きるのであるが、ガイド４の面が山形つまり斜めに設けられているので草等を掬い上げるように作用するために極めてスムースに流れるように寄せられるので刈られた草が散乱しない効果がある。
【００１３】
これらガイド１，２を取り付ける際、ガイド１，２の先端と回転刃Ａとの隙間の設定が重要で狭すぎても広すぎても良くないが、出来るだけ狭いことが望まれる。
回転刃Ａはエンジンの振動により常に振動しながら回転しているし、カヤ等の硬い茎等や土や石に当たった場合は大きく波打ちかつ振動しながら回転するのであまり狭くしても接触し、回転にブレーキをかける作用が働くことになるので０，１ミリから２ミリくらいが適当と考えられる。
又、平板状のガイド４とする場合は回転刃Ａとの間を並行にすると草等が挟み込まれるので回転刃の回転の下流方向に向かって広くなるように角度を付ける必要があるがその角度は２度くらいから１０度くらいの間が考えられる。
【００１４】
草等の物体は比較的柔らかいためと、刃先が磨耗していて切れ難くなっていると、切れずに回転刃Ａに曳き回されることがあるが、曳き回された草等は初めに図１の山形を成す揚上ガイド１  の低い位置に接触するが、曳かれるに従い揚上ガイド１の上方へ揚上して行き、回転刃Ａと草等との角度が大きくなるので揚上浮離ガイド２の先端が潜り易くなり、続いて揚上浮離ガイド２の低い位置に接触した物体は上方へと接触位置が揚上移動し最終位置に草等が来るころはその高さが最も巻きつき易いギヤケースＢよりも高い位置にあるためギヤケースに触れることも無く、草等の持つそれ自体の弾力性と、回転刃による遠心力と、慣性により、ついには、ガイド２から浮離し、空中へと離脱放出される。
尚、途中のガイド１，２に接触した草等物体はガイド１、２が回転刃Ａ表面より見て山形を成しているので接触位置が揚上移動するほどガイド１，２との摩擦力は減少して緩んで行く。
【００１５】
又、初めに切れた草等は多くが高速で回転する回転刃Ａの上表面を滑りながら滑落して行くのであるが、中には草等自体の重量と摩擦抵抗と回転刃に空けられた多数の穴に引っかかりして、回転刃Ａに従いガイド１，２の内側に巻き込まれるのであるが、ガイド１、２に草等物体の一部が接触すれば抵抗となって巻き込まれ難く、たとえ一部巻き込まれてもセンターカップ３の外面がテーパー状となっていて回転刃Ａと密着して共に回転しているために巻きつくことが出来ずに、遠心力によって浮離放出される。
【００１６】
図２はセンターカップをテーパー状とした一例でセンターカップ３の１断面図であり、外側は山形を構成するいわゆるテーパー状で回転刃に密着しているために回転軸およびギヤケースに強く巻き付くことは出来ないし、テーパー部に接触した物体は上方へと跳ね飛ばされる。
内側は上部に行くに従い径が大きくなる逆テーパー状を成すため中に溜まった草切れは遠心力で上方に放出されるが先願のものに見られる突起や刃は必要としない。
【００１７】
図２では山形の頂点が鋭角を成しているが、丸いいわゆる弧を成していても良い。
テーパー状センターカップ３の内側底部は外周底部よりも凹んだ状態、つまり少し高く構成されるが０，５ミリから２ミリくらいの間が考えられる。
これは底部全体が同一平面だと、回転刃の大きな波うち振動時に回転刃との間に隙間が出来、この時に細い物体が入り込むことがあるが本発明のように外周底部が線接触していると柔軟性があり、隙間が出来難いのである。
【００１８】
又、先願の特許文献５  があるが、センターカップだけでは有効な巻きつき防止は得られないし、内側も外側に準じたテーパー状であるため内側に溜まった草切れなどの排除が配慮されていないし、製造コストの高くつく構造であり現実的でない。
【００１９】
又、センターカップ３の上方の径を大きくした逆テーパー状にすると、巻き付きを促進させることになり、実際に草刈をすると短時間で多くの草等物体が巻き付き回転は停止しないが、あまりに多くが巻きつき、しかも均等には巻きつかないので回転がアンバランスとなり回転が上がらなくなり草刈作業の継続は出来ないのである。
【００２０】
センターカップに刃などの突起物が設けられて、センターカップの底部よりも上端の外周の径が大きいと略逆テーパー状となり草等物体が巻きつき易いので不可である。
【００２１】
センターカップの外面が垂直の場合それなりの効果はあるがテーパー状センターカップに勝る巻き付き防止効果は得られない。
又、回転刃から立ち上がる垂直部分の底部の角に丸みがあると狭い範囲ながら逆テーパー状を成すので物体の巻きつきの要因となるので不可である。
【００２２】
本発明のガイド４と類似している先願の特許文献２のガイドはガイドそのものが垂直に設けられていて、ただ単に巻き込みを防ぐことにのみに考えられていて、草等の物体をスムースに掬い上げ排除する配慮がなされていないが本発明はガイドが山形に設けられているので草等物体を極めてスムースに排除出来る。
又、先願の特許文献２のように回転刃とガイドの隙間が等間隔だと草等物体が挟み込まれ回転停止に追い込まれるが、本発明は回転の下流方向に向かって開いた状態になっているので草等物体が挟み込まれることはないのである。
これらより先願の特許文献２は実際には使用実験がなされていないと思われる実用不可能のものである。
【図面の簡単な説明】
【００２３】
【図１】草刈機の斜視図
【図２】テーパー状センターカップの１断面図
【図３】ガイドが平板状の草刈機の側面図
【符号の説明】
【００２４】
Ａ・・・回転刃
Ｂ・・・ギヤケース
Ｃ・・・動力伝達棹
Ｄ・・・ステー
１・・・揚上ガイド
２・・・揚上浮離ガイド
３・・・テーパー状センターカップ
４・・・平板状揚上ガイド
【図１】
2009022200.tif 000003
【図２】
2009022200.tif 000004
【図３】
2009022200.tif 000005